(57)【要約】【課題】加圧液体の噴射口から噴射される液体噴射流をもとに気体吸引口からの気体を混入しながら偏平状の気液混合流を形成する噴射流１０と流通路の内面との接触に起因する抵抗作用を解消し、前記流通路から噴射される噴射流１２の噴射速度の低下を低減し得る気液混合流の噴射装置を提供する。【解決手段】気液混合流の噴射装置１の内部に偏平状の液体噴射流を噴射する液体ノズル部６を設けるとともに、その下流側に偏平状の流通路を設け、さらに前記液体噴射流により発生する負圧によって気体を液体ノズル部６の噴射口近傍へ流入させる第１の気体吸引口と、その第１の気体吸引口の下流側で、前記液体噴射流に基づいて形成される扇状の噴射流１０の外側に位置する第２の気体吸引口１３，１４とを設け、扇状の噴射流１０と前記流通路を構成する扇状部８の各内面との間に気体伴走流１１が流れるように構成する。【選択図】        図２
2004223409.tif 000002
【特許請求の範囲】
【請求項１】
液体と気体からなる気液混合流を形成して噴射する気液混合流の噴射装置において、内部に偏平状の液体噴射流を噴射する加圧液体の噴射口を設けるとともに、その噴射口の下流側に偏平状の流通路を設け、さらに前記液体噴射流により発生する負圧によって気体を前記噴射口の近傍へ流入させる第１の気体吸引口と、該第１の気体吸引口の下流側で、前記液体噴射流に基づいて形成される扇状の噴射流の外側に位置する第２の気体吸引口とを設け、前記扇状の噴射流と前記流通路の各内面との間に前記噴射流に沿って気体伴走流が流れるように構成したことを特徴とする気液混合流の噴射装置。
【請求項２】
前記流通路の途中に最小断面積部を設け、その最小断面積部の上流側は噴射流の幅方向と直交する方向に徐々に縮小し、下流側は幅方向に拡大するようにした請求項１に記載の気液混合流の噴射装置。
【発明の詳細な説明】
【０００１】
【発明の属する技術分野】
本発明は、物体の表面に付着した汚れやその他の付着物に対する洗浄ないし剥離処理などに好適な偏平状気液混合流を噴射するための噴射装置に関する。
【０００２】
【従来の技術】
この種の気液混合流の噴射装置に関して、内部空間に設けた加圧液体の噴射口から噴射される液体噴射流とガス入口から流入する気体とを偏平状の混合室を通過させることにより偏平状の気液混合流を形成するものは従来から知られている（特許文献１参照）。しかしながら、この従来技術によれば、偏平状の気液混合流の形成は可能なものの、気液混合流の周辺部と偏平状の混合室の内面との接触による減衰が大きく、噴射速度が低下するという技術的問題があった。また、混合室の内面との接触に基づく抵抗作用によって偏平状混合流の周辺部に生じる部分的な減速により、均一な流速からなる偏平状気液混合流の形成が困難であるという技術的問題もあった。
【０００３】
【特許文献１】
特開昭５３−１８００９号公報
【０００４】
【発明が解決しようとする課題】
本発明は、以上のような従来の技術的状況に鑑みて発明したもので、加圧液体の噴射口から噴射される液体噴射流をもとに気体吸引口からの気体を混入しながら偏平状の気液混合流を形成する噴射流と流通路の内面との接触に起因する抵抗作用を解消し、前記噴射流の噴射速度の低下を低減し得る気液混合流の噴射装置を提供することを目的とする。
【０００５】
【課題を解決するための手段】
前記課題を解決するため、請求項１の発明では、液体と気体からなる気液混合流を形成して噴射する気液混合流の噴射装置において、内部に偏平状の液体噴射流を噴射する加圧液体の噴射口を設けるとともに、その噴射口の下流側に偏平状の流通路を設け、さらに前記液体噴射流により発生する負圧によって気体を前記噴射口の近傍へ流入させる第１の気体吸引口と、該第１の気体吸引口の下流側で、前記液体噴射流に基づいて形成される扇状の噴射流の外側に位置する第２の気体吸引口とを設け、前記扇状の噴射流と前記流通路の各内面との間に前記噴射流に沿って気体伴走流が流れるように構成するという技術手段を採用した。すなわち、前記第１の気体吸引口及び第２の気体吸引口から供給される気体によって形成される気体伴走流により、前記噴射流を前記流通路の各内面から離間させて直接接触しないように構成した。したがって、本発明によれば、前記気体伴走流により偏平状の噴射流の周辺部における前記流通路の各内面との接触による抵抗作用が大幅に解消される結果、それらの接触に起因する気液混合流の噴射速度の低下も大幅に低減される。また、噴射流の周辺部における部分的な噴射速度の低下が解消されるので、流速のより均一な偏平状気液混合流の形成が可能である。なお、前記流通路の途中に最小断面積部を設け、その最小断面積部の上流側は噴射流の幅方向と直交する方向に徐々に縮小し、下流側は幅方向に拡大するようにしてもよい（請求項２）。
【０００６】
【発明の実施の形態】
本発明に係る噴射装置により形成される偏平状の気液混合流は、物体表面に付着した汚れやその他の付着物に対する洗浄ないし剥離処理に好適であるが、これらに限定されることなく、偏平状の気液混合流の使用可能な場面には広く適用することが可能である。加圧液体として使用される液体の種類に関しては、噴射可能なものであれば特段の制約はなく、水や温水のほか、界面活性剤等の添加剤を加えた洗浄液などの適宜の液体の採用が可能である。気体に関しても同様に特段の制約はなく、研掃材等の粉粒体を混入させることも可能である。なお、研掃材等の粉粒体は、第１の気体吸引口とは別の供給口から供給するように構成してもよい。加圧液体の噴射口と第１の気体吸引口とを設けた内部空間の大きさや具体的形状に関しても特段の制約はなく、下流側に接続される流通路との関係からスムーズに気液混合流が形成できるものであればよい。第１気体吸引口から流入する気体が流通し得る間隙が確保されていれば、加圧液体の噴射口に前記流通路を直接接続する構成も可能である。また、加圧液体の噴射口の具体的構成に関しては、偏平状の液体噴射流の形成が可能なものであればよく、断面形状がスリット状や楕円形の噴射口や、円形の流路の噴射側先端部分に横長の偏平溝を形成したものなどが可能である。
【０００７】
前記噴射口からの液体噴射流に基づいて形成される扇状の噴射流の外側に設ける第２の気体吸引口の設置個数や設置場所に関しては、その第２の気体吸引口から流入する気体によって形成される気体伴走流によって、前記噴射流が前記流通路の各内面に直接接触しないように構成し得るものであれば、任意の設定が可能である。また、前記流通路に関しては、例えば以下の実施例のように、幅方向に直交する方向が徐々に縮小形成された絞り部と、該絞り部の下流側に接続され、幅方向の寸法が徐々に拡大形成された扇状部とから構成することができる。この場合、絞り部の幅方向あるいは扇状部の厚さ方向に関しては、一定の寸法でもよいし、絞られる形態のものでもよい。なお、流路断面積が最も絞られる最小断面積部の位置に関しては、加圧液体の噴射口近傍では噴射流の幅が小さく気体の吸引力も弱いことから、前記噴射口からある程度は離した位置に設定するのがよい。また、流通路を構成する前記扇状部に関しては、その広がり角度と前記噴射口からの液体噴射流に基づいて形成される扇状の噴射流の広がり角度との関係から、前記噴射流の両側外面と前記扇状部の両側内面との間の隙間を平行あるいは下流側へ向けて徐々に縮小するように設定することも可能である。そして、気液混合流の両側外面と前記扇状部の両側内面との間の隙間を下流側へ向けて徐々に縮小するように設定すれば、扇状部の後端部から外部へ噴射される偏平状気液混合流の両側部に生じやすい外側への余計な広がりを抑制することも可能である。
【０００８】
【実施例】
以下、図面を用いて本発明の実施例に関して説明する。図１は本発明の一実施例を示した縦断面図であり、図２はそのＡ−Ａ断面図である。また、図３〜図７は本実施例に使用された各構成部分を示したもので、図３はノズル本体の縦断面図、図４はその左側面図を示したものであり、図５は液体噴射部の縦断面図、図６はその右側面図、図７は左側面図をそれぞれ示したものである。図１及び図２に示したように、本実施例に係る気液混合流の噴射装置１は、気液混合流の噴射部を構成するノズル本体２の端部に加圧液体噴射用の液体噴射部３を組込むことにより形成される。ノズル本体２は中央部から二分割され、それらの部分２ａと部分２ｂとを溶接等により一体的に結合することにより形成される。その一方の端部には、図３に示したように外部へ開口した空間部４が形成されるように構成されている。そして、前記空間部４に、図５に示したように液体噴射部３の端板５の片側に設けられた液体ノズル部６側を挿入して、前記端板５を介して液体噴射部３をノズル本体２の端部に固定することにより、図１及び図２に示した噴射装置１が形成されることになる。
【０００９】
図３に示したように、気液混合流の噴射部を構成するノズル本体２は、一方の端部に前述の空間部４を有しており、その空間部４の下流側は、図２に示したように幅広の偏平状に形成され、上下面が図１及び図３に示したように空間部４の傾斜面に続いてテーパ状に絞られた絞り部７が形成され、さらにその絞り部７の下流側に、高さが一定に形成され、図２に示したように幅方向の寸法が徐々に大きくなるように形成した扇状部８が連続的に形成されている。これらの絞り部７と扇状部８により偏平状の流通路が構成され、それらの絞り部７と扇状部８との接続部が流路断面積の最も小さい最小断面部９を構成している。この最小断面部９の位置は、液体ノズル部６からの液体噴射流をもとに、第１の気体吸引口から流入する気体を巻込みながら気液混合流へと変化していく噴射流１０の流れの状態や、第１及び第２の気体吸引口から流入する気体によって前記噴射流１０と扇状部８の各内面との間に形成される気体伴走流１１の形成状態に着目しながら、速度低下の少ない偏平状の気液混合流からなる外部噴射流１２が安定的かつ効率的に形成できるように設定する。
【００１０】
そして、本実施例では、前記絞り部７の部分に、図２に示したように前記噴射流１０の幅方向の外側に気体吸引口１３，１４を形成し、これらを第２の気体吸引口として気体を噴射流１０と扇状部８の内面との間に供給することにより、前記第１の気体吸引口から流入する気体により形成される気体伴走流１１の流量を効果的に増加し得るように構成しており、この点で、本発明としての特徴を有している。この第２の気体吸引口を設けないと、第１の気体吸引口からの気体により形成される気体伴走流１１は、下流側へいくに従って噴射流１０に巻込まれていき、その気体伴走流１１としての厚さが減少し、噴射流１０の周辺部が下流側で扇状部８の内面と接してしまうことになる。因みに、第２の気体吸引口に関しては、以上のように絞り部７において前記噴射流１０の幅方向の外側に位置するように設けられた場合に限られない。例えば、最小断面部９の上流側あるいは下流側近傍と外部とを連通するようにノズル本体２を横方向に貫通して穿設された１個あるいは複数個の連通孔など、噴射流１０の流れの外側に開口して気体を噴射流１０と扇状部８の内面との間に供給し得るものであれば構わない。なお、前記ノズル本体２の一方の端部に形成される空間部４の部分は、図４の左側面図に示したように断面矩形状に形成されており、その両側には液体噴射部３の端板５の固定用ボルトに螺合する雌ねじ孔１５，１６が形成されている。
【００１１】
図５に示したように、前記液体噴射部３には、軸心に沿って加圧液体の供給路１７が形成され、その下流側端部には前記液体ノズル部６が螺着されている。本実施例の液体ノズル部６の場合には、図６の右側面図に示したように、前記扇状部８に適合した扇状の噴射流１０が形成されるように楕円形等の偏平状の噴射口１８が形成されている。因みに、本実施例に係る噴射口１８では、図２に示したように、該噴射口１８から噴射された噴射流１０の幅方向の広がり角度αが前記扇状部８の幅方向、すなわち扇状部８の幅方向の内面８ａ，８ｂ間の広がり角度βより若干大きくなるように設定されており、これにより噴射流１０の両側外面と扇状部８の両側内面８ａ，８ｂとの間の隙間Ｓが下流側へ向けて徐々に縮小するように構成している。また、図１に示したように、噴射口１８から噴射される噴射流１０の幅方向に直交する方向の広がり角度に関しても、その噴射流１０が扇状部８の内面に接しないように設定した。
【００１２】
前記液体ノズル部６の外形は、その液体噴射部３の端部への着脱時の便宜から六角形に形成し、液体噴射部３の他端部には加圧液体の供給管への接続用の雌ねじを形成した。また、前記端板５は液体噴射部３に対して溶接等により一体的に固着されており、その上下には図７の左側面図に示したように断面矩形状の凹欠部１９，２０を形成した。この端板５には更に固定用ボルトの挿通孔２１，２２が形成されており、これらの挿通孔２１，２２を介して図示しない固定用ボルトを挿通し、ノズル本体２側に形成された前記雌ねじ孔１５，１６に螺合して締付けることにより、端板５を介して液体噴射部３をノズル本体２側に着脱可能に固定し得るように構成した。したがって、液体噴射部３をノズル本体２から取外すことにより、液体ノズル部６を交換したり取付調整を行うことも可能である。そして、本実施例では、端板５をノズル本体２側へ固定した状態において、該端板５に形成した断面矩形状の凹欠部１９，２０とノズル本体２側に形成した断面矩形状の空間部４とが重なる部分が外部へ開口され、第１の吸引口を形成するように構成されている。
【００１３】
しかして、図１及び図２において、液体噴射部３に形成された供給路１７を介して加圧液体が供給されると、その加圧液体は液体ノズル部６の噴射口１８から噴射され、噴射流１０が形成されるとともに、その噴射流１０を囲んで気体伴走流１１が形成される。この液体ノズル部６の噴射口１８から噴射される噴射流１０は、噴射直後は液体のみの細い噴射流であるが、噴射口１８から離れるに従って、図２に示したように広がり角度αに沿って噴射幅を徐々に広げるとともに、この噴射流１０中に、本実施例では噴射流１０自体のエジェクタ作用によって端板５に形成された凹欠部１９，２０とノズル本体２側に形成された空間部４との重なりによって形成される第１の吸引口を介して吸引される空気等の気体が巻込まれて混入し、徐々に気液混合流を形成しながら、最終的にはノズル本体２から偏平状の気液混合流からなる外部噴射流１２として噴射されることになる。また、本実施例においては、絞り部７を形成して最小断面部９を設けるようにしたので、第１の吸引口からの気体の吸引力を強化して噴射流１０に対する気体の混入を促進することができ、より均質な高速の気液混合流からなる噴射流を形成することができる。
【００１４】
また、本発明の特徴として、噴射流１０の外側に第２の気体吸引口１３，１４を形成し、これらの第２の気体吸引口１３，１４から吸引される気体によって、噴射流１０と扇状部８の内面との間に形成される気体伴走流１１の流量を効果的に増加するように構成したので、噴射流１０と扇状部８の内面との直接接触による噴射流１０に対する抵抗作用を大幅に解消することができ、外部噴射流１２の周辺部の噴射速度の低下を大幅に低減することができる。なお、図２に示した本実施例の場合のように、前記噴射流１０の幅方向の広がり角度αを扇状部８の幅方向の内面８ａ，８ｂ間の広がり角度βより若干大きく設定し、噴射流１０の両側外面と扇状部８の両側内面８ａ，８ｂとの間の隙間Ｓが下流側へ向けて徐々に縮小されるように設定すれば、ノズル本体２から外部へ噴射される偏平状の外部噴射流１２の両側部の外側への余計な広がりを抑制してきれいな偏平流を形成することができる。
【００１５】
【発明の効果】
本発明によれば、加圧液体の噴射口近傍へ気体を供給する第１の気体吸引口と、液体噴射流に基づいて形成される扇状の噴射流の外側に位置する第２の気体吸引口を設け、これらの第１及び第２の気体吸引口から流入する気体により形成される気体伴走流によって、前記噴射流を流通路の各内面から離間させることにより直接接しないように構成したので、その噴射流の周辺部と流通路の各内面との接触に起因する抵抗作用が大幅に解消され、噴射流の速度低下を大幅に低減することができる。また、噴射流の周辺部分における部分的な噴射速度の低下が解消されるので、流速のより均一な偏平状噴射流の形成が可能になる。
【図面の簡単な説明】
【図１】本発明の一実施例を示した縦断面図である。
【図２】図１のＡ−Ａ断面図である。
【図３】ノズル本体の縦断面図である。
【図４】同ノズル本体の左側面図である。
【図５】液体噴射部の縦断面図である。
【図６】同液体噴射部の右側面図である。
【図７】同液体噴射部の左側面図である。
【符号の説明】
１…噴射装置、２…ノズル本体、３…液体噴射部、４…空間部、５…端板、６…液体ノズル部、７…絞り部、８…扇状部、９…最小断面部、１０…噴射流、１１…気体伴走流、１２…外部噴射流、１３，１４…気体吸引口、１５，１６…雌ねじ孔、１７…加圧液体の供給路、１８…噴射口、１９，２０…凹欠部、２１，２２…ボルト挿通孔
【図１】
2004223409.tif 000003
【図２】
2004223409.tif 000004
【図３】
2004223409.tif 000005
【図４】
2004223409.tif 000006
【図５】
2004223409.tif 000007
【図６】
2004223409.tif 000008
【図７】
2004223409.tif 000009